(57)【要約】  非吸収性の内側部２は、外側部と共に使用することが意図されているが、分離している。内側部は、使用中に排便排泄物が通過し得る開口部（１２）のための開口部（１２）を有する非吸収性、及び／又は、バリアシート４を含む。内側部が外側部と協働して使用中に排便排泄物を内側部と外側部との間に収集しかつ保持する。
2010517612.tif 000002
【特許請求の範囲】
【請求項１】
肛門領域に着用するための外側部（３０）であって、吸収性材料を含む外側部（３０）と、
前記外側部（３０）の内側に着用するための分離した内側部（２）と、を含み、
前記内側部が、使用中に排便排泄物が通過し得るようになる開口部（１２）を画定する材料のシート（４）を含み、これにより、前記内側部が前記外側部と協働して使用中に排便排泄物を前記内側部と前記外側部との間に収集しかつ保持するようになる、使い捨て吸収性物品。
【請求項２】
４９ｍＮ／ｍの表面張力を有する液体を用いて測定された前記内側部（２）の前記材料の静水頭値が、１．８ｋＰａ（１８ｍｂａｒ）以上であり、及び／又は、非吸収性材料の前記シート（４）が、不織布材料である、使い捨て吸収性物品。
【請求項３】
前記内側部（２）が、使用中に前記開口部をユーザーの肛門と位置合わせし保持するための弾性領域（１８、２０）を含む、請求項１に記載の使い捨て吸収性物品。
【請求項４】
前記内側部（２）内の前記開口部（１２）が、長手方向に延び、
前記弾性領域（１８、２０）が、前記開口部の両側上で前記内側部の前記長手方向縁部の少なくとも一部に沿って延びる、請求項３に記載の使い捨て吸収性物品。
【請求項５】
前記内側部が、前記内側部の前腰部領域（６）を後腰部領域（８）に固定して、腰部開口部（２２）及び２つの脚開口部（２４、２６）を形成するための締結手段（１０、４０）を有し、これにより、前記内側部（２）が前記外側部（３０）から独立して着用され得る、請求項１〜４のいずれか一項に記載の使い捨て吸収性物品。
【請求項６】
前記内側部（２）が、前記内側部を前記外側部に締結するための締結手段（５０）を有する、請求項１〜５のいずれか一項に記載の使い捨て吸収性物品。
【請求項７】
胴体下部上において外側吸収性部の下に着用するための内側部（２）であって、
前記内側部（２）の全厚さを通過する長手方向開口部（１２）であって使用中に排泄物質が通過し得る長手方向開口部（１２）を画定する材料のシート（４）と、
前記開口部（１２）を前記ユーザーの肛門と位置合わせして所定の位置に保持することに適し、前記開口部（１２）の各側上で長手方向に延びる弾性領域（１８、２０）と、
前腰部領域及び後腰部領域（６、８）を取り付けるための締結手段（１０、４０、５０）と、を含み、
前記内側部の厚さが、２ｍｍ以下である、内側部。
【請求項８】
４９ｍＮ／ｍの表面張力を有する液体を用いて測定された前記シート（４）の前記材料の静水頭値が、１．８ｋＰａ（１８ｍｂａｒ）以上であり、及び／又は、非吸収性材料の前記シート（４）が、不織布材料である、請求項１２に記載の使い捨て吸収性物品。
【請求項９】
前記胴体下部上において外側吸収性部の下に着用するための内側部（２）であって、
前記内側部（２）の前記全厚さを通過する長手方向開口部（１２）であって使用中に排泄物質が通過し得る長手方向開口部（１２）を画定する材料のシート（４）、好ましくは非吸収性不織布材料である材料のシート（４）と、
前記内側部分が前記胴体下部上に独立して着用されることができるように、前記シート（４）の前腰部領域及び後腰部領域（６、８）を互いに取り付けるための締結手段（１０、４０）と、
使用中に前記長手方向開口部（１２）を前記着用者の肛門と位置合わせして所定の位置に保持するための位置合わせ手段と、を含む、内側部。
【請求項１０】
前記シート（４）の前記材料が、ここに記載された方法により測定された１グラム未満の総吸収力と、４９ｍＮ／ｍの表面張力を有する液体を用いて測定された１．８ｋＰａ（１８ｍｂａｒ）以上の静水頭値と、２ｍｍ以下の前記シートの前記厚さと、を有し、
前記位置合わせ手段が、前記開口部（１２）を前記ユーザーの肛門と位置合わせして所定の位置に保持することに適し、前記開口部（１２）の各側上で長手方向に延びる弾性領域（１８、２０）を含む、請求項１０に記載の内側部。
【発明の詳細な説明】
【技術分野】
【０００１】
本発明は、分離した内側部と協働して、ここではＢＭと呼ばれる排便排泄物のような粘稠な体外排泄物を受容する外側吸収性部を有しながら、２つの部の形態のおむつ、トレーニングパンツ、大人用失禁用物品、女性用保護物品などのような使い捨て吸収性物品を目的とする。
【背景技術】
【０００２】
現代の吸収性おむつが導入される以前は、乳児からの体排出物を収集しかつ保持するために、外側のプラスチックのパンツ、洗濯可能で吸収性の内側のおむつの組み合わせが、使用されていた。内側のおむつは多くの場合、綿又はその他の同様な吸収性材料であり、安全ピンを使用して所定の位置に保持されていた。
【０００３】
このような製品は、使い捨て吸収性おむつにより大きく取って代わられた。現代のおむつの従来の構造は、バックシートと、トップシートと、トップシートと、バックシートとの間の吸収性コアと、並びに伸縮性のあるカフと、伸縮性領域と、機能を高めることを意図された様々な他の構成要素などの多くの他の構成要素と、を含んでいることがある。このような従来のおむつは、介護人により接合されてウエストバンドを形成する前腰部領域及び後腰部領域が備わっている場合がある。代替的構成は、製品販売時にすでに製品に接合されている前腰部領域及び後腰部領域を有する「パンツタイプ」おむつである。このようなトレーニングパンツは、従来の下着と同様なやり方で身につけることができる。
【０００４】
同様の構造は成人用失禁製品及びその他同様の用途でも知られている。
【０００５】
このような従来の吸収性物品に関連する問題は、液体でない、例えばＢＭを含む身体排出物に対処することである。
【０００６】
ＢＭの漏れを最小限とし、おむつ内に閉じ込められたＢＭが皮膚を汚すのを軽減しようするために、糞便がおむつのトップシートと下位層との間の空間の中に通過し得る開口をトップシート内に設けた。しかしながら、このような開口は吸収性物品の装着中に位置合わせするのが難しい場合があり、特に物品が着用されているときに適切な位置に保持するのが難しい。多くの異なる試みにもかかわらず、このような開口を有する先行技術のおむつは、良好な機能を有さない傾向がある。
【０００７】
従来の提案が、米国特許第５，２０７，６６３号明細書によりなされており、その中に腸失禁用保護物品が記載されている。保護物品は、物品の後でウエストバンドから吊り下げられた二重パネルの袋を備えている。伸縮性のあるスリットが着用者の肛門に隣接した袋の内側パネル上で設けられ、糞便物質を直接袋の中に収容できる。
【０００８】
しかしながら、このような分離した袋を含む物品は、追加層を実装して位置合わせする必要があるので、従来のおむつよりも製造するのがずっと難しく高価である。
【０００９】
より近年の、より消費者に支持されている開口部を有するおむつが、欧州特許第１２０１２１２号明細書に記載されている。弾性領域は、体排出物を受容するために不可欠な空間への通路を提供する中央開口部のいずれかの側上で長手方向に延びる。
【先行技術文献】
【特許文献】
【００１０】
【特許文献１】米国特許第５，２０７，６６３号明細書
【特許文献２】欧州特許第１２０１２１２号明細書
【発明の概要】
【発明が解決しようとする課題】
【００１１】
しかしながら、結びつけて位置合わせする必要がある異なる構成要素の数に鑑みて、このようなおむつは依然として製造するのが容易ではない。
【課題を解決するための手段】
【００１２】
本発明の第１の態様によると、請求項１に記載の吸収性物品が提供される。
【００１３】
本発明者は、分離した内側部を提供することにより、開口部を有する不可欠な内側層を備える吸収性物品の生産にかかわる製造の難しさの多くを回避できることに気付いた。
【００１４】
内側部と外側部は分離しているので、閉じた袋又はポケットがないにもかかわらず、内側部は汚れを有意に軽減することができる。
【００１５】
内側部と外側部の位置合わせは、ユーザーにより着用される両方により達成され得る。内側部内の開口は、開口部のいずれかの側上で長手方向に延びる弾性領域によって所定の位置に保持することができる。使用中に、弾性領域及びスリットは脚開口部の間を通る。
【００１６】
内側部は締結手段を有し、これらは内側部を着用者の周囲で所定の位置に固定するように、又は内側部を外側部に固定するように適合され得る。
【００１７】
分離した外側部（３０）は、脚開口部と、脚開口部の周囲の弾性カフ（５６）と、を有してもよく、使用中に外側部の弾性カフが内側部と係合するように内側部と外側部は、寸法決めされる。
【００１８】
内側部（２）は、パンツ様内側部であってもよく、締結手段（４０）は、内側部（２）のいずれかの側上で前腰部領域（６）を後腰部領域（８）に取り付けてパンツ様内側部を形成する一対の永久的なシームであり、開口部（１２）は脚開口部（２４、２６）の間を通るスリットである。
【００１９】
内側部（２）は、おむつ型内側部であってもよく、締結手段は、前腰部領域と後腰部領域の一方に取り付けられる締結具（１０）であり、締結具（１０）は、腰部開口部（２２）を形成し、更に一対の脚開口部（２４、２６）を画定するために、使用中に前腰部領域及び後腰部領域（６、８）の他方に着脱可能であるように適合される。
【００２０】
使い捨て吸収性物品は、長手方向に離間した前腰部領域（６）及び後腰部領域（８）を有する。締結手段（４０）は、腰部開口部（２２）と、一対の脚開口部（２４、２６）と、弾性領域（１８、２０）と、脚開口部（２４、２６）の間を通る開口部（１２）と、を画定するために、前腰部領域と後腰部領域とを互いに永久的に取り付けることができる。
【００２１】
更に、又は別の方法としては、内側部（２）の前腰部領域及び後腰部領域（６、８）を外側部の対応する前及び後腰部領域に締結するために、締結手段（５０）を前腰部領域（６）と後腰部領域（８）の両方に設けてもよい。
【００２２】
更に、又は別の方法としては、前腰部領域又は後腰部領域の一方の両側に取り付けられる締結具を含む締結手段（１０）が設けられてもよく、締結手段は、腰部開口部を形成するために、更には一対の脚開口部を画定するために、使用中に前腰部領域及び後腰部領域の他方に着脱可能であるように適合される。
【００２３】
非吸収性不織布シートであってもよいシート（４）は、伸縮性シートであり得る。
【００２４】
内側部は、使用中にユーザーの生殖器をカバーするポケットを形成する１つ以上の折り畳みを有する生殖器カバーシート（７０）を備えてもよい。
【００２５】
被吸収性の内側部は、内側部の長手方向外側縁部に沿って配置される脚部弾性体を更に備えてもよい。
【００２６】
位置合わせ手段が存在するのが好ましく、これら位置合わせ手段は、使用中に非吸収性の内側部を着用者に固定することに適したスリットに隣接した粘着剤領域（８０）を含んでもよい。この粘着剤領域（８０）は、使用中に非吸収性の内側部を着用者に固定することに適したスリットに隣接されてもよい。
【図面の簡単な説明】
【００２７】
本発明のよりよい理解のために、単なる例として、添付図面を参照して実施形態をここで説明する。
【図１】乳児により着用される、本発明の第１の実施形態による伸縮性のあるおむつ型内側部の側面図。
【図２】乳児により着用される、本発明の第１の実施形態による伸縮性のあるおむつ型内側部の背面図。
【図３】側面図における伸縮性のある内側部と外側部との組み合わせ。
【図４】本発明の第２の実施形態による伸縮性のあるパンツ様内側部。
【図５】本発明の第３の実施形態による代替的内側部の図。
【図６】外側部に固定された第３の実施形態の内側部。
【図７】本発明の第４の実施形態の内側部。
【図８】本発明の第５の実施形態の内側部。
【図９】本発明の第６の実施形態の内側部。
【００２８】
図は概略的であり正確な縮尺ではない。異なる実施形態において同一又は類似の構成要素には同じ参照番号が付されており、かかる構成要素の説明は一般に繰り返されない。
【発明を実施するための形態】
【００２９】
本明細書で使用するとき、次の用語は次の意味を有する。
【００３０】
「吸収性物品」は、液体を吸収する、及び／又は、封じ込める着用可能な装置を指し、具体的には、着用者の身体に当てて又は近接して配置され、身体から排出される様々な排出物を吸収して封じ込める装置を指す。
【００３１】
用語「おむつ」は、本明細書で使用するとき、一般に乳幼児及び失禁症状のある人により胴体下部周りに着用される吸収性物品を指す。
【００３２】
「非吸収性」は、有意な量の流体又はその他の体外排泄物を吸収するために用いることのできるあらゆる種類の材料を含まない構成要素を指す。
【００３３】
「長手方向」は、物品の最長直線寸法に対して平行なおむつの方向、典型的には長手方向軸を指す。用語「長手方向軸に沿って」は、この軸の４５°以内の方向を包含する。物品又は構成要素の「長さ」は一般に、物品又は構成要素の長手方向軸の方向の寸法を指す。
【００３４】
「横方向」は、物品と同一平面内の、長手方向に概ね直交する方向を指す。物品又は構成要素の「幅」は一般に、長さに直交するこの横方向の物品又は構成要素の寸法を指す。
【００３５】
「厚さ」は、長手方向及び横方向の両方に概ね直交する方向及び長さを指し、即ちシートに言及する場合は、シートの平面に垂直な方向を指す。厚さはキャリパーと呼ぶこともできる。厚さ、つまりキャリパーは、０．３ｐｓｉ、即ち圧力２０６８Ｐａで測定される。
【００３６】
本明細書で使用するとき、物品又は構成要素の「中間点」は、長手方向軸の中間点、即ち左右対称の物品又は構成要素の物品の中心線の中間点を指す。
【００３７】
「弾性」は、本明細書で使用するとき、伸張されることができ、伸張力が解除されると少なくとも一部分においてその伸張されていない状態に戻る任意の構成要素、部分又は領域を指す。
【００３８】
「伸縮性のある」は、本明細書で使用するとき、他の構成要素そのものが弾性であるかどうかにかかわらず、弾性構成要素、シート等を他の構成要素に加えることによって作製される任意の弾性構成要部分又は領域を指す。
【００３９】
２つの構成要素が損傷を与えずに分離することができないやり方で接合されるとき、それらは「永久的に取り付けられた」と言われる。
【００４０】
「分離した」は、永久的に互いに固定されていないことを意味する。２つの構成要素が互いに全く固定されていないか、どちらの構成要素にも損傷を与えずに構成要素を分離することができるやり方で互いに固定される場合、２つの構成要素は分離している。
【００４１】
図１は、平坦な形状の、本発明の第１の実施形態によるおむつ型内側部２を示す。内側部の外側、即ち着用者から見て外方に向くように意図される側が図に示されている。
【００４２】
内側部２は、不織布材料のシート４で形成される。シート４は、ＢＭへのバリアとして機能することができ、即ちＢＭを封じ込めることができる。好ましくは、追加的構成要素が取り付けられている場合を除いて、シートの特性は、どこで測定されるかにかかわらず実質的に同じである。
【００４３】
実施形態において、シート４は不織布で形成される。実施形態において、不織布は疎水性である。不織布は、液体及び固体が通過するのを実質的に防ぐ高バリア性不織布材料であり得る。内側部は、長手方向に離間した前腰部領域６と、後腰部領域８と、使用する際に前腰部と後部腰部とを互いに固定するように適合された締結手段１０と、を有する。好ましくは、シート４は非吸収性であってもよい。例えば、シート４は、試験方法ＷＳＰ  １０．１（第７．２項）「液体吸収能力（Liquid Absorptive Capacity）」で測定して、５グラム未満、３グラム未満、１グラム未満又は０．５グラム未満の液体を吸収することができる。
【００４４】
内側部を所定の外側部３０と共に使用することが意図されている場合（以下を参照のこと）、シートの総吸収能力は、外側部３０の総吸収能力の１％未満、好ましくは０．２％未満、更に好ましくは０．１％未満であってよい（以下を参照のこと）。
【００４５】
示される実施形態において、締結手段は、一方が後腰部領域のいずれかの側上に存在する、後腰部領域に取り付けられた一対のテープ締結具である。
【００４６】
様々な異なる型の締結具を使用することができる。締結具には、粘着剤、例えば接着テープ、２つの部分からなるフック及びループ形締結具又はシート４の材料のような材料に直接締結するフック型締結具を含む締結具を挙げることができる。任意のその他締結具を使用することもできる。
【００４７】
開口部１２は、使用中に着用者の肛門に隣接する場所で材料４を通過する。実施形態において、開口部は、実施形態の長手方向中心線１４に沿って長手方向に延びるスリット１２である。
【００４８】
好ましくはスリットの形状である開口部１２は、好ましくは股領域に配置される。スリットの長さの１０％以上、２０％〜４０％又は３０％以上が、中間点から前腰部領域６に向かって延び、スリットの長さの残りが中間点から後腰部領域に向かって後方に延びるのが好ましいが、必ずしも必要ではない。
【００４９】
開口部（１又は複数）の寸法及び正確な形は、シート４、及び／又は、吸収性物品の寸法に応じて変わってもよい。例えば、１つの好ましい実施形態において、開口部は、（本明細書に示されるような）Ｖ字形又は丸みを帯びたＶ字形の前縁部及び後側縁部によって前及び後で結合する、実質的に平行な長手方向の側縁部を有するスリット開口部の形状であり、前及び後のＶ字形縁部は２つの角度のついた縁部を含む。スリット開口部の最大長さは、吸収性物品の全長Ｌの例えば４０％〜９０％、より好ましくは５０％〜８０％、更により好ましくは約６０％〜７０％であり得る。本明細書の開口部の平均幅は、伸張された状態で、（開口部の幅を含む）シート４の平均幅の好ましくは５％〜３０％、より好ましくは１０％〜２５％であり、例えばサイズ４のおむつでは１５ｍｍ〜６０ｍｍ、より好ましくは２０ｍｍ〜４０ｍｍである。
【００５０】
弾性片１８、２０はスリット１２のいずれかの側に沿って長手方向に延び、シート４をスリットのいずれかの側上の領域に伸縮させる。これらは、欧州特許第１２０１２１２号明細書に記載の通りに形成することができる。
【００５１】
図１は、比較的狭い弾性領域１８、２０を示しているが、別の方法としてはより広い幅にわたって延びてもよく、具体的には最大で内側部の全幅まであってもよい。
【００５２】
使用中に、内側部２は、図２に示されるように着用者、ここでは斜線で示されている乳児の周囲に配置される。後腰部領域８は、前腰部領域６に重なり合う。締結手段１０は、前腰部６及び後腰部８のいずれかの側上で接合して内側部を着用者の周囲に固定するために使用される。これにより腰部開口部２２及び一対の脚開口部２４、２６を形成する。スリット１２及び弾性片１８、２０は脚開口部の間を通る。
【００５３】
図２に示されるように、弾性片１８、２０は、スリット１２が着用者の肛門に隣接した状態で内側部を所定の位置に保持するカフとして機能する。内側部２は、着用者の皮膚上で近接して所定の位置に保持される。弾性材を使用することで漏れを最小限にする。このように弾性片１８、２０は、位置合わせ手段を構成する。
【００５４】
内側部２を固定した後、続いて外側部３０を着用者及び内側部２の周囲に配置する（図３）。この実施形態において、外側部３０はトップシートと、吸収性コアと、バックシートと、を有する従来のおむつである。このようなおむつは当該技術分野において既知であり、したがって更なる説明はなされない。
【００５５】
使用中、着用者がしたＢＭはスリット１２を通過し、外側部３０に捕捉されて内側部２と外側部３０との間に保持される。内側部２は、ＢＭを支持しないため、内側部２は垂下せず、着用者の皮膚に対して所定の位置に保持されたままとなり、着用者の皮膚を内側部２と外側部３０との間のＢＭから保護する。
【００５６】
記載されている形状の内側部２の特有の利点は、比較的簡素であるので製造コストが安いことである。
【００５７】
好ましい実施形態において、シート４はバリア特性を有する。バリア特性は、特定の表面張力の液体を有する不織布シートによって支持される静水圧である静水頭値に反映され得る。以下に記載の方法において、その表面張力は４９ｍＮ／ｍである。以下に記載の方法で測定された静水頭部は、好ましくは少なくとも１．８ｋＰａ（１８ｍｂａｒ）、少なくとも２ｋＰａ（２０ｍｂａｒ）、少なくとも２．５ｋＰａ（２５ｍｂａｒ）（又は少なくとも３ｋＰａ（３０ｍｂａｒ））である。
【００５８】
あるいは、又は更にシート４は、少なくとも３０秒、好ましくは少なくとも５５秒の低い表面張力裏抜け値を有することができる。
【００５９】
しかしながら、シート４の材料が完全に不浸透性である必要はない。
【００６０】
バリア不織布を使用する代わりに、代替的材料をシート４に使用してもよい。例えば、全体に伸縮性のある材料、例えばライクラ（Lycra）（登録商標）又は伸縮性のある不織布を使用することができる。一部の例では、弾性片１８、２０の必要性を省くことが可能であり、これにより内側部２が更に安価となり、製造が容易となる。その場合、伸縮性のある材料そのものの弾性が、シート４のスリット１２に隣接した長手方向領域が、スリット１２を正確に位置合わせしてシート４を所定の位置に保持するための弾性領域であることを確実にすることができる。
【００６１】
実施形態において、内側部のシート４は、空気透過性であってもよい。これによりユーザーの快適さ及び皮膚症状の危険性の軽減を促進することができる。シート４の空気透過性は少なくとも３ダルシー／ｍｍ、少なくとも５ダルシー／ｍｍ、少なくとも１０ダルシー／ｍｍ、少なくとも２０ダルシー／ｍｍ又は更に少なくとも３０ダルシー／ｍｍであり得る。これは以下に述べる方法により決定することができる。
【００６２】
あるいは、シート４の材料は、不浸透性プラスチックシートであってもよい。このアプローチは比較的低コストであり得る。シートは、孔あきであってもよく、快適さを向上させるために多くの小さな穿孔は通気可能である。
【００６３】
着用者の快適さを向上させるために、シートは疎水性材料で作製されることが好ましいが必須ではない。
【００６４】
本発明者らは、尿と混ざったＢＭが非常に低い表面張力、例えば２５〜３０ｍＮ／ｍを有し得ることを見出した。シート又はその一部、例えばシート４の内側表面の表面エネルギーは、２８ｍＮ／ｍ未満、好ましくは２４ｍＮ／ｍ未満、より好ましくは２０ｍＮ／ｍ未満であってもよい。
【００６５】
シートの低い表面エネルギーは、具体的には、以下に記載の試験によって測定される非常に高い撥アルコール性の値に反映される。シート４の平均撥アルコール性は、少なくとも７．０、好ましくは少なくとも８．０、より好ましくは少なくとも９．０であり、最も好ましくは、トップシートの撥アルコール性は１０．０であってもよい。
【００６６】
シート４は、シートをより疎水性にし、肌に優しくするために処理剤でコーティングされてもよく、ローションでコーティングされてもよい。適した処理剤には、１９９９年３月２日にティモンズ（Timmons）らに付与された米国特許第５，８７６，７５３号明細書、１９９９年３月３０日にグリースン（Gleason）らに付与された同第５，８８８，５９１号明細書、２０００年４月４日にグリースンらに付与された同第６，０４５，８７７号明細書に記載のようなフッ化炭素が挙げられる。その他の処理剤としてシリコーンが挙げられる。空気透過性を低下させずにトップシートに処理剤を適用する有用な方法は、米国特許第５，３２２，７２９号明細書及び国際公開第９６／０３５０１号公報に見い出すことができる。
【００６７】
処理剤は、好ましくはポリオレフィン、ポリエステル、ポリウレタン及びポリアミドを含む群から選択される熱可塑性ポリマー繊維を含む繊維性不織布ウェブに最も効果的に適用され、最も好ましくは熱可塑性ポリマーはポリオレフィンであり、最も好ましくはポリプロピレン又はポリエチレンである。
【００６８】
シート４は、トップシートの表面エネルギーを低下させる化学物質で少なくとも部分的に処理されてもよく、かかる化学物質は遮蔽促進剤と呼ばれる場合がある。低い表面エネルギー及び高い撥アルコール性を有するシート４を得るために、遮蔽促進剤を適用する任意の方法を用いることができる。遮蔽促進剤を塗布する方法は、好ましくは、促進剤の非常に薄いコーティングをシート４上又はその一部分上に付着させるようなものであるべきであり、空気透過性及び多孔性が実質的に変わらないような方法であるべきである。
【００６９】
好ましいのは、遮蔽促進剤を繊維ウェブに局所的に塗布すること又はトップシートウェブを形成する前に、トップシートを作製するために使用する化合物（複数可）、例えば繊維に、溶融状態の遮蔽促進剤を添加することである。したがって、例えばトップシートが繊維ブレンドから作製される不織布材である場合、この繊維ブレンドは溶融状態の遮蔽促進剤を含むことができ、これは結果として得られる不織布に高い撥アルコール性及び低い表面エネルギーを提供する。１種類以上の溶融された遮蔽促進剤の使用は、上述のように１種類以上の遮蔽促進剤での局所処理と組み合わせてもよい。
【００７０】
好ましい処理剤は、フルオロカーボン類、シロキサン類、ポリシロキサン類（好ましくは、ヘキサフルオロエチレン、ヘキサフルオロプロピレン、並びにフッ化ビニル及びフッ化ビニリデン、フルオロアクリレート及びフルオロメタクリレートを包含する、フッ素化モノマー類及びフッ素化ポリマー類が挙げられる）からなる群から選択されてもよい。非常に好ましいのは、トップシートが、ポリ（テトラ）フルオロエチレン、フッ素化エチレン−プロピレンコポリマー、及び／又は、フッ素化エチレン−テトラフルオロエチレンコポリマーの遮蔽促進剤を備えることである。
【００７１】
シート４は、多層積層体で作製してもよい。例えば、積層体は、軟質材料の内側層及び外側の不透水層を備えてもよい。内側層は快適さで選ばれる不織布であってもよい。
【００７２】
内側部２に修正を加えることが可能である。
【００７３】
快適さのため、ウエストバンド６、８は伸縮性があってもよい。更に、締結手段１０はシート４に直接取り付けられる必要はないが、必要に応じてシート４から横方向に従属するタブが設けられてもよく、これらのタブは伸縮性であってもよい。
【００７４】
別の方法としては、前腰部領域６及び後腰部領域８の一方若しくは両方に沿って又は開口部１２の周囲に引きひもを設けてもよい。
【００７５】
図４は、内側部２が「パンツ様」である代替的構成を示す。この場合、サイドシーム４０は、前腰領域６及び後腰領域８を互いに接合する。示されている実施形態において、サイドシームは腰部から脚開口部２６へと延びる。このような「パンツ様」内側は、外側のおむつとしての「トレーニングパンツ」と組み合わせるのに特に便利である。
【００７６】
このような物品は、形状が図１と同様で締結手段１０がない半加工品を使用して製造することができ、当該技術分野において既知のパンツ型おむつを製造するのに使用されるのと同様な折り装置を使用してパンツ様内側を形成する。
【００７７】
最初に内側部２を身に着け、次に外側部３０を着用することにより、内側部２を正確に適切な位置に定置して最大限の保護を提供することができ、スリット１２が正しく位置づけられることを確実にする。
【００７８】
単に内側部２を着用して次に外側部３０を身に着ける代わりに、代替的アプローチでは内側部２を外側部３０に固定し、次に内側と外側の組み合わせを着用者が身につける。図５は、前ウエストバンド６と後ウエストバンド８の両方上かつ内側の両側上に設けられた締結タブ５０を有するこの形状での内側を示す。
【００７９】
使用中、図６に概略的に示されているように、これら締結タブ５０は内側部２を外側部３０に固定するために使用される。内側部の前腰部領域６は外側部の前腰部領域５２に取り付けられ、内側の後腰部領域８は、外側部の後腰部領域５４に取り付けられる。例えば、フック型締結具を締結タブ５０として使用してもよく、これらは外側部３０上のトップシートとして使用される不織布に係合してもよい。必要に応じて、粘着タブ、フック及びループ形締結具並びに任意の他の締結具をも使用することができる。
【００８０】
図６に示されるおむつは、伸縮性のあるレッグカフ５６を有する。実施形態において、内側部はカフまで横方向に延び、そうすることによりカフ５６は脚開口部２４、２６において外側部を内側に密閉する。実際に、この密閉を強化するために、内側部は外側部より幅広であることができる。
【００８１】
好ましくは外側部３０は、レッグカフを有してもよい。いくつかの実施形態において、外側部３０のレッグカフが、着用者の皮膚ではなく内側部２に対して密閉するように、内側部２と外側部３０は寸法決めされる。これは、例えば、内側部及び外側部それぞれの中間点１６で測定された内側部の幅を外側部の幅より大きくすることで達成されてもよい。
【００８２】
いくつかの実施形態において、外側部の中間点上で内側部の中間点を重ね、内側部と外側部の長手方向を平行にして内側部と外側部とを位置合わせすると、内側部の幅はスリット１２の全長にわたって外側部の幅より大きくなり得る。
【００８３】
ここで留意すべきは、内側部２の幅と外側部３０の幅との関係は、２つを一緒に着用者が身に着ける前に外側部に固定されることが意図されている、第３の実施形態に示されている種類の内側部にのみ適用されるのではなく、パンツ型又はおむつ様の内側部のような他の種類にも同様に適用されるということである。
【００８４】
分離した締結具５０が内側の腰部領域６、８のいずれかの側上で示されているが、代替的実施形態では、長さのかなりの割合に沿って内側部６、５２及び外側部８、５４を互いに取り付けるために、締結具５０は、内側部の外側の前腰部領域及び後腰部領域に沿って横方向に延びてもよい。
【００８５】
図７に示されるように、更なる実施形態は、生殖器保護を含む。生殖器カバーシート７０は、内側部２のシート４の外側表面上のスリットの前末端部でスリット１２を覆って実装される。
【００８６】
使用中に、生殖器カバーシート７０は、着用者の生殖器をカバーする。生殖器カバーシート７０は、内側部２と外側部３０との間に封じ込められたＢＭが着用者の生殖器と接触するのを妨げることを意図しているので、生殖器カバーシート７０は生殖器領域が汚れるのを軽減する。
【００８７】
ポケットを形成するために、生殖器カバーシート７０に１つ以上の長手方向の折り畳みを設けてもよい。
【００８８】
生殖器カバーシート７０は、好ましくは尿透過性である。生殖器カバーシート７０は、親水性であってもよく、かつ低い再湿潤を有する。圧縮２０６Ｐａ（０．３ｐｓｉ）で測定されたカバーシート７０のキャリパーは、０．５ｍｍ〜１．５ｍｍであってもよい。
【００８９】
好ましい材料には、スパンボンド不織布、スパンボンド不織布とメルトブロウン不織布の積層体が挙げられる。好ましい材料には、カード不織布材料も挙げられる。
【００９０】
代替的実施形態は、生殖器カバーシート７０に孔あき成形フィルムを使用する。適した例が、国際公開第９６／００５４９号公報に記載されている。
【００９１】
第５の実施形態が、内側部２の内側表面を示す図８に図示されている。この実施形態において、一時的に固定する粘着剤８０が開口部１２の縁部に沿ってストライプ状に形成される。使用中に、粘着剤は、内側部を着用者に固定して内側部２と着用者との間の優れた密閉を確実なものとする。粘着剤８０は、位置合わせ手段も構成する。
【００９２】
弾性体１８、２０に加えて又は弾性体に代えて、粘着剤を使用してもよい。
【００９３】
外側部は、例えば内側部を取り付けることのできる画定されたランディング領域を有する従来のおむつ又は改善された従来のおむつであってもよい。
【００９４】
図９は更なる修正を図示している。この場合、内側部４は、内側部の長手方向外側縁部上で内側脚部弾性体９０を有する。これら脚部弾性体は、脚領域でフィット及び密閉を改善する。更に、追加的弾性体９２が長手方向外側縁部と開口部１２との間に設けられ、これら追加的弾性体は内側部４を成形するために設けられる。その他の点では、この構成の内側部は図１の実施形態と同じである。
【００９５】
ここでは弾性体９０及び追加的弾性体を図１の実施形態と組み合わせて示したが、このような脚部弾性体及び追加的弾性体は、個別に又は組み合わせて用いることもでき、加えて他の実施形態に組み込むことができることが当業者には理解されよう。
【００９６】
内側部２は、従来のおむつ上でトップシートの多くの機能を実現するので、内側部２は、トップシーが除外された改善された従来のおむつと共に使用されてもよい。
【００９７】
本発明の特定の実施形態が説明及び記載されてきたが、本発明の範囲内で様々な変更及び修正を行えることが当業者には明白であろう。更に、様々な実施形態の特徴は組み合わされてもよい。
【００９８】
例えば、単一開口部の代わりに、例えば使用中に肛門付近の１つの開口部及び生殖器領域内の別の開口部のような、内側部に複数の開口部であってもよい。
【００９９】
更に、当業者には理解されるように、一実施形態を参照して説明した様々な特徴は他の実施形態にも適用することができる。
【０１００】
ここで、用いた様々な測定方法を説明する。
【０１０１】
空気透過性
空気透過性は、空気の標準的な容積が、一定の圧力及び温度で試験片を通過して引き出される時間を測定することによって決定される。この試験は、本明細書中で好ましいもの、特に不織布材といったような相対的に高い気体透過性を有する材料に特に適している。
【０１０２】
器具はテクステスト（Tex Test）ＦＸ３３００を使用する。試験方法はＡＳＴＭ  Ｄ７３７に従う。試験は、典型的には約２２±２℃及び約３５％±１５％の相対湿度の実験環境で行われる。試験片は少なくとも２時間調湿されなくてはならない。試験圧は１２５パスカル、試験面積は３８ｃｍ２である。この試験では、器具が試料を通過して一定の差圧を作り、その差圧が空気を試料に引き込む。試料を通過する空気流の速度は、フィート３／分／フィート２で測定され、ダルシーの法則により透過（ダルシー／ｍｍ）に変換される。
Ｋ／ｄ（ダルシー／ｍｍ）＝（Ｖ＊μ）／（ｔ＊Ａ＊Δｐ）
式中、ｋは試験片の単位面積あたりの透過性であり、Ｖ／ｔはｃｍ３／秒での体積流量であり、μは空気の粘度（１．８６＊１０−５Ｐａ秒）であり、ｄはｍｍでの試験材料の厚さであり、Ａはｃｍ２での試験片の断面積であり、Δｐはパスカル又はＰａでの圧力差であり、１ダルシーは９．８６９＊１０−９ｃｍ２である。
【０１０３】
各試料につき３回反復し、平均した結果を、本明細書の空気透過性として報告する。
【０１０４】
静水頭部（水頭値）
本明細書で使用するとき、静水頭部（水頭値とも呼ばれる）は、表面張力が比較的低い液体、この試験では４９ｍＮ／ｍの液体（溶液）を使用して測定される。
【０１０５】
この液体は、以下に記載の通りに調製される。
【０１０６】
この試験は、米国不織布協会（Inda）／欧州不織布協会（Edana）試験ＷＳＰ８０．６（０５）に従った、同時係属出願である国際公開第２００５／１１２８５４Ａ号公報に記載の通りに実施された。しかしながら、水圧は（下方より）上昇率６ｋＰａ／分（６０ｍｂａｒ／分）で上昇させる。
【０１０７】
５ｃｍ２の試料をシートから取り出す。試料は弾性材又は、他の材料に結合された縁部を含んではならない。
【０１０８】
使用した試験水頭の直径は、２．５ｃｍであり、使用した保護スリープの直径は２．２ｃｍである。
【０１０９】
この試料上で試験を実施して静水頭値を取得し、本明細書で参照した。
【０１１０】
４９ｍＮ／ｍ（ダイン／ｃｍ）の液体調製
栓の付いた１０リットルのキャニスタを、２リットルのポリエチレンで３回、次いで２リットルの蒸留された／脱イオン水で３回、よく洗浄する。次に、１０リットルの蒸留された／脱イオン水を充填し、清浄な撹拌子で２時間撹拌し、その後栓を介して水を除く。５リットルのグラスを水で６回、次に蒸留された／脱イオン水で６回洗浄する。次に、コール酸ナトリウム３０．００ｇと５リットルの蒸留された／脱イオン水とを、洗浄した５リットルのグラス内に定置する。（コール酸ナトリウムのＴＬＣ純度は９９％超過でなくてはならず、例えばカルビオケム（Calbiochem）、カタログ番号２２９１０１より供給される。）これを清浄な撹拌子で、コール酸ナトリウムが明らかに溶解するまで約５分間撹拌する。撹拌子を磁気スティックで（溶液に触れずに）グラスから取り除き、次にコール酸ナトリウム溶液を１０リットルのキャニスタの中に流し込み、最終溶液の濃度が３ｇ／Ｌとなるように更なる蒸留された／脱イオン水を加える。これを撹拌子で更に２時間撹拌して使用する。
【０１１１】
溶液の調製及びその使用は、溶液が使用される試験について記載された温度で行うが、温度が記載されていない場合は溶液を２０℃に保つ。
【０１１２】
溶液の表面張力を測定し、これは本来４９ｍＮ／ｍ（＋／−２）である。（表面張力は、クリュス（Kruss）Ｋ−１２張力計を使用して、ＡＳＴＭ  Ｄ１３３１−５６（界面活性剤溶液の表面張力及び界面張力の標準試験法（Standard test method for surface and interfacial tension of solution of surface active agents）により測定してもよい。
【０１１３】
低い表面張力の裏抜け値法（Low surface tension Strike Through value method）
本明細書で言及される低い表面張力の裏抜け値は、表面張力の低い液体（以下を参照のこと）を使用し、２５ｍｍ×２５ｍｍ（１インチ×１インチ）の試料を使用してもよいことを除いては、欧州不織布協会（Edana）方法ＷＳＰ７０．３（０５）により得ることができる。試料は、弾性材料又は他の材料に結合された縁部を含んではならない。
【０１１４】
この試料測定で得た値が本明細書で報告される。
【０１１５】
この試験に関し、表面張力の低い液体とは、以下のように調製された表面張力が３２ｍＮ／ｍである液体である。
【０１１６】
清浄なフラスコ内の５００ｍＬの蒸留水（すでにフラスコに入っている）に２．１００グラムのトリトン（Triton）−Ｘ−１００を加え、次に５０００ｍＬの蒸留水を加える。溶液を３０分間混合した後、表面張力を測定し、これは本来３２ｍＮ／ｍであるべきである。
【０１１７】
表面張力は、クリュス（Kruss）Ｋ−１２張力計を使用して、ＡＳＴＭ  Ｄ１３３１−５６（界面活性剤溶液の表面張力及び界面張力の標準試験法（Standard test method for surface and interfacial tension of solution of surface active agents）により測定することができる。
【０１１８】
「発明を実施するための形態」で引用した全ての文献は、関連部分において本明細書に参照により組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【０１１９】
本発明の特定の諸実施形態を図示し、記載したが、本発明の趣旨及び範囲から逸脱することなく他の様々な変更及び修正を実施できることは当業者には自明であろう。したがって、本発明の範囲内にあるかようなすべての変更及び修正は、添付の特許請求の範囲に包含されるものとする。
【図１】
2010517612.tif 000003
【図２】
2010517612.tif 000004
【図３】
2010517612.tif 000005
【図４】
2010517612.tif 000006
【図５】
2010517612.tif 000007
【図６】
2010517612.tif 000008
【図７】
2010517612.tif 000009
【図８】
2010517612.tif 000010
【図９】
2010517612.tif 000011
【国際調査報告】
2010517612.tif 000012
2010517612.tif 000013